(57)【特許請求の範囲】
【請求項１】
肩の上の所定高さに輸液袋を支持するための輸液袋支持具であって、肩の上面に沿って前後方向に渡される帯状の柔らかい布材からなる接肩部と、この接肩部の前後両端部から上方向に延在してその上端部で互いに合流する所定の強度を有する素材からなる２枚の斜面部と、前記輸液袋を引っかけるため前記斜面部の頂部に設けられたフック部と、前記輸液袋支持具を身体に固定するための固定手段とを具え、
前記固定手段が、前記接肩部及び斜面部の前端部に連設され人体胸部程度の幅を有する板状部材でなる前胸部と、当該前胸部と対をなし前記接肩部及び斜面部の後端部に連設され人体胸部程度の幅を有する板状部材でなる後背部と、前記
前胸部と後背部とを身体の脇の下において連結する側部連結帯とを具え、前記前胸部と後背部の下側端縁がほぼ同じ高さで直線的に切られていることを特徴とする輸液袋支持具。
【請求項２】
請求項１に記載の輸液袋支持具において、前記前胸部が点滴用チューブの余剰部分を留め置く保持手段を具えることを特徴とする輸液袋支持具。
【発明の詳細な説明】
【０００１】
【発明の属する技術分野】
本発明は輸液袋支持具に関し、特に、点滴投与中の患者が輸液パックを身体に装着したまま移動できるようにする輸液袋支持具に関する。
【０００２】
【従来の技術】
従来より、人間の治療方法として点滴の投与が行われている。一般に点滴の投与は、点滴スタンドに薬剤や栄養剤、生理食塩水などの点滴袋を吊り下げてチューブを延ばし、ベッドに横たわらせた患者の腕や腿に輸液をゆっくり注入することにより行われる。この点滴スタンドは金属素材からなり、上端に点滴吊下用のフックを設けた高さ１．８ｍ程度の棒状部材でなる支柱と、キャスターを設けて可搬性を付与した脚部とで構成されている。この点滴投与には５００ｃｃ程度の輸液を注入するのにおよそ２〜３時間を要し、患者の症状によっては一日中点滴を継続する場合もある。患者がトイレ等で移動する場合であっても点滴投与は中止されず、患者が手で点滴スタンドを引っ張ってスタンドごと移動するようにしている。
【０００３】
【発明が解決しようとする課題】
しかし従来の点滴スタンドはキャスターで接地する自立型であり嵩張るため、患者が引っ張って移動するのに邪魔になる場合がある。特に段差や階段では患者が重量のある点滴スタンドを持ち上げて運ばねばならないという負担となり、また患者がトイレに行く場合には狭い個室に嵩張る点滴スタンドを持ち込まねばならず患者の動作の妨げになるものであった。また廊下の移動等においても患者はスタンドの支柱を手で引っ張る必要があるため、片手がふさがってしまい安全面でも改善が望まれるものであった。
【０００４】
このような問題を解消するため、点滴容器の吊り下げ具を身体に直接装着できるようにして、点滴投与中の患者がスタンドを手で持つことなく移動できるようにする試みが、例えば実開平１−６８０５３号公報や特開平１１−１３７６３９号公報に開示されている。前者はヘアーバンドやキャップにフックを設けて輸液袋を吊り下げるものであり、後者はベルトや背中板等の手段で患者の背面に支柱を固定して頭の上方に点滴容器を吊り下げる構造のものである。
【０００５】
しかしながら、点滴容器は通常５００ｃｃ〜１，０００ｃｃの薬剤等が入るため、実開平１−６８０５３号公報記載の技術を用いてヘアーバンドやキャップに吊り下げるには重すぎて患者の首への負担が過大となってしまう。また吊り下げ部が頭頂部あるいは頭側部に配置されるため装着した患者は輸液袋を自分では見ることができず、輸液袋が空になっても気付かない等の不具合を生じる可能性がある。さらに輸液袋を保持するためにキャップをきつめにする必要があり、頭部を継続的に締めつけることになってしまう。
【０００６】
一方、特開平１１−１３７６３９号公報記載の技術は、ベルトや背中板等の手段で患者の背中に長い支柱を固定するものであるため、輸液袋を吊り下げるフック部は後頭部の上方になる。この部位は首をねじって見ることも困難なばかりか、患者が自らの手を後ろからのばしてフックに輸液袋を引っかけることは不可能に近い。しかしながら予めフックに輸液袋を引っかけた状態で身体に装着しようとしても装着時に輸液袋が外れたり点滴チューブが絡まったりする困難が予想され、装脱着時に補助する人間が必要となる。また、このような支柱が頭の上方に延在しているとドアの通過やエレベータへの乗降の際に引っかかってしまい、患者の動作の大変な妨げとなる。さらに、吊り下げ具が大がかりなものとなり装脱着の作業も面倒であるとともに、装着時には頭をねじって輸液袋を見づらいために前述のような不具合も予想される。
【０００７】
すなわち上記の従来技術はいずれも使い勝手の面で改善が要求されるものであった。本発明はこの問題に鑑み、装脱着が容易で、装着している患者の動作の妨げとならない輸液袋支持具を提供することを目的とする。
【０００８】
【課題を解決するための手段】
この目的を達成するため、本願にかかる発明は、肩の上の所定高さに輸液袋を支持するための輸液袋支持具であって、肩の上面に沿って前後方向に渡される帯状の接肩部と、この接肩部の前後両端部から上方向に延在してその上端部で互いに合流する所定の強度を有する素材からなる２枚の斜面部と、前記輸液袋を引っかけるため前記斜面部の頂部に設けられたフック部と、前記輸液袋支持具を身体に固定するための固定手段と、を具えることを特徴とする。
【０００９】
このように輸液袋支持具を構成すると、接肩部の前後両端から上方向に延在する斜面部が肩の上に所要高さの三角形を構成するため、その頂部に設けたフック部に輸液袋を引っかければ点滴スタンドを用いることなく輸液袋を必要な高さ、すなわち心臓の上の位置に保持することができる。従って、点滴スタンドを持ち運ぶ際の面倒や煩わしさから開放される。またフック部の位置が頭部の横に位置することになり、頭を横に向けてフック部を容易に視認することができるため、輸液袋をフック部に引っかける作業を容易に行うことができるとともに、輸液袋が空になっても気付かない等の不具合が生じることがない。また後頭部の上方に伸びる支柱を有さないためドアやエレベータ口に引っかかるようなこともない。
【００１０】
この輸液袋支持具において、前記固定手段は、面ファスナを用いて構成されていることが望ましい。本発明の輸液袋支持具を身体に固定するにはボタンやホック等の手段を用いることもできるが、面ファスナを用いると患者の着脱作業を最も簡単かつ容易にすることができる。
【００１１】
また、この固定手段は、前記接肩部及び斜面部に連結され人体の胸部に沿って延在する前胸部と、当該前胸部と対をなし人体の背中に沿って延在する後背部と、身体の脇の下において前記前胸部と後背部とを連結する側部連結帯と、を具えるようにしてもよい。この構成により、輸液袋支持具を身体に確実に固定しておくことが可能となる。
【００１２】
この場合、前記側部連結帯が、少なくともその前胸部側に設けられた面ファスナで前記前胸部と後背部とを連結することが望ましい。このように輸液袋支持具を構成して、後背部からまわした側部連結帯を身体の前側で前胸部と貼り合わせてとまるようにすれば、装脱着の作業を容易にすることができる。
【００１３】
さらに、前記前胸部が点滴用チューブの余剰部分を留め置く保持手段を具えるようにしてもよい。点滴用のチューブはある程度の長さを有するため、輸液袋を肩の上に配置するとチューブに余剰部分がでることが予想される。上記のように輸液袋支持具を構成して余剰部分を留め置けるようにすれば、チューブの弛んだ部分を何かに引っかけたりするような事態を防止することができる。
【００１４】
【発明の実施の形態】
本発明の実施の形態を、添付の図面を参照しながら以下に詳細に説明する。図１は本発明に係る輸液袋支持具の構成を示す斜視図である。図１に示すように、この実施形態の支持具１は、片方の肩の上面に沿って前後方向に渡される帯状の接肩部１１と、この接肩部１１の前後両端部から上方向に延在してその上端部で互いに合流する２枚の斜面部１２ａ、１２ｂと、輸液袋を引っかけるために斜面部１２の頂部に突出するフック部１３と、接肩部１１及び斜面部１２に連結され人体の胸部に沿って延在する前胸部１４と、当該前胸部１４と対をなし人体の背中に沿って延在する後背部１５と、身体の脇の下において前胸部１４と後背部１５とを連結する側部連結帯１６と、を具えている。
【００１５】
接肩部１１は幅１０〜１５ｃｍ程度の柔らかい布材からなり、肩の上面の形状に沿って変形可能である。この接肩部１１の前後端は斜面部１２ａ、１２ｂの下端部にそれぞれ接着又は縫着されており、２枚の斜面部１２の下端部が接肩部１１の長さ以上に離れないように、さらに接肩部１１が肩に沿って撓むことにより斜面部１２ａ、１２ｂを互いに引きつける役割を果たす。
【００１６】
一方、２枚のプレート状の斜面部１２ａ、１２ｂはそれぞれ接肩部１１と同じ幅を有し、接肩部１１の前後端部からそれぞれ上方に延在してその上端部で合流している。従って、これら斜面部１２ａ、１２ｂと接肩部１１とで概略三角形が構成される。この三角形の上端縁の中央部からは、輸液袋を引っかけるためのフック部１３が突出しており、斜面部１２ａ、１２ｂはこのフック部１３に輸液袋を吊り下げた場合にも変形しないよう所定の強度を有する。本実施形態の輸液袋支持具１では、斜面部１２は前胸部１４及び後背部１５と一体的に布材で構成されており、斜面部１２ａ、１２ｂの裏側にプラスチック又は金属等の素材でなるプレート１７が貼り付けられている。これは本例に限るものではなく、プラスチック等のプレートを布材で挟み込んで斜面部１２を構成したり、斜面部１２と前胸部１４及び後背部１５を全体としてプラスチック等の材料で構成してもよく、さらに斜面部１２自体をプラスチック等の強度を有する材料で構成するとともに、これと別部材として前胸部１４及び後背部１５を布材で構成してもよい。
【００１７】
前胸部１４及び後背部１５は、それぞれ斜面部１２の下端部から横方向に２５〜３５ｃｍ程度の長さを設けてほぼ対称的に構成されている。後背部１５の両端部のやや下側からは側部連結帯１６が伸びており、その先端部が前胸部１４の両端部のやや下側と連結されている。側部連結帯１６は伸縮性を有する板ゴム等の素材で構成され、前胸部１４との連結箇所は面ファスナ１８により取り外し可能である。さらに、前胸部１４側の面ファスナ１８は横方向に適宜の長さに設けられており、その範囲で側部連結帯１６の連結位置を変えて長さを調節することができる。
【００１８】
さらに前胸部１４の下端部の中央には、チューブ保持ベルト１９が設けられている。このチューブ保持ベルト１９はその下端部が前胸部１４に縫着または接着されており、上端部は面ファスナ１９ａにより前胸部１４から取り外し可能である。チューブ保持ベルト１９は、その上端部を面ファスナ１９ａで前胸部１４にとめたときに適宜の弛みがでる長さに構成されており、この弛みと前胸部１４との間に余剰の点滴用チューブを束ねて保持できるようになっている。
【００１９】
図２は、本実施形態の輸液袋支持具１を患者の肩に装着した状態を示す正面図である。図２に示すように、患者の右肩に斜面部１２が配置され、側部連結帯１６が両脇の下を通って前胸部１４に連結されている。フック部１３には輸液袋２１が吊り下げられ、その下端部から伸びるチューブ２２の余剰部分が束ねられてチューブ保持ベルト１９に保持されている。
【００２０】
この輸液袋支持具１を装着するには、患者は両側の側部連結帯１６の面ファスナをはがして前胸部１４と分離させた状態から前胸部１４と後背部１５との間に右肩を入れ、接肩部１１を右肩に載せて位置を整える。その後、両脇の下を通して側部連結帯１６を後ろから前にまわし、その先端を前胸部１４側の面ファスナに止め付ける。この構成により、接肩部１１と２つの側部連結帯１６との間にそれぞれ患者の腕が通り、支持具１が患者の身体に確実に固定される。その後、フック部１３に輸液袋２１を吊り下げ、チューブ２２の余剰部分を巻いてチューブ保持ベルト１９と前胸部１４との隙間に配置して、面ファスナ１９ａをとめる。その後チューブ２２の先端に設けた点滴針を血管に挿入し、点滴を開始する。２枚の斜面部１２はプラスチック等のプレートで補強されており、かつその下端部で接肩部１１により互いに引っ張られているため、フック部１３に重量のある輸液袋をつり下げても変形することがなく、心臓より上の位置に好適な状態に輸液袋が支持される。
【００２１】
図３は、本願に係る輸液袋支持具の第２の実施形態の構成を示す斜視図である。図３に示すように、本実施形態の輸液袋支持具２は、図１に示す支持具１の簡易版ともいえるものであり、図１に示す側部連結帯１６及びチューブ保持ベルト１９が設けられておらず、代わりに前胸部２５及び後背部２６の内側面に、前胸部２５及び後背部２６の長さ方向に渡って面ファスナ２８が設けられている。この面ファスナ２８は、先端を鉤状に湾曲させた細かい突起を密集させて構成されており、例えばセーターなどの衣服に接着することができる。この輸液袋支持具２は、接肩部１１を肩の上に載せて面ファスナ２８を衣服にとめ付け、フック部１３に輸液袋をつり下げればよい。なお、図３に示す他の構成要素は図１に示す輸液袋支持具１の対応する要素と同一であり、その詳細な説明は省略する。
【００２２】
輸液袋支持具の実施形態の構成について詳細に説明したが、本願にかかる発明は上記の実施形態に限られるものではなく、他の様々な変形例として実現することができる。例えば輸液袋支持具の各部位の寸法や素材は上述の例に限られず、適用する患者の性別や身体のサイズ等の実施環境に合わせて変化させてもよい。また、図１に示す輸液袋支持具１において、側部連結帯１６は伸縮性の素材を用いなくてもよいし、必ずしも面ファスナにて開放可能としなくてもボタンやホック等を用いて固定する構成でもよい。また側部連結帯１６は後背部１５との連結部も面ファスナで取り外し可能に構成してもよい。さらに、チューブ保持ベルト１９は必ずしも必須のものではなく、逆に同様の構成をもってチューブの中間部に設けられる点滴流量調節具（図２の符号２３）を保持するベルトを追加してもよい。
【００２３】
【発明の効果】
以上、詳細に説明したように、本発明の輸液袋支持具によれば、点滴スタンドを用いることなく輸液袋を必要な高さ、すなわち心臓の上の位置に保持することができ、点滴スタンドを持ち運ぶ際の面倒や煩わしさから開放される。また輸液袋を肩の上に載せる構成をとるため頭を横に向けてフック部を容易に視認することができ、輸液袋をフック部に引っかける作業を容易に行うことができるとともに、輸液袋が空になっても気付かない等の不具合が生じることがない。また後頭部の上方に伸びる支柱を有さないためドアやエレベータ口に引っかかるようなこともない。
【図面の簡単な説明】
【図１】本発明に係る輸液袋支持具の第１の実施形態の構成を示す斜視図である。
【図２】図１に示す輸液袋支持具を患者が装着した状態を示す正面図である。
【図３】本発明に係る輸液袋支持具の第２の実施形態の構成を示す斜視図である。
【符号の説明】
１、２      輸液袋支持具
１１        接肩部
１２        斜面部
１３        フック部
１４        前胸部
１５        後背部
１６        側部連結帯
１７        樹脂プレート
１８、２８  面ファスナ
１９        チューブ保持ベルト
【図１】
0003563053.tif 000002
【図２】
0003563053.tif 000003
【図３】
0003563053.tif 000004